(57)【要約】【課題】１本の梁部と、この梁部に取り付けられた床板部とからなるＬ字型パネルによって床部をパネル化することにより、パネル間の接続部の材を二重にすることなく、パネル工法はもちろんパネル工法以外の工法への適用性を向上させることができ、また、コストを低減して輸送効率をも高めることのできる建物の床構造およびその施工方法を提供することを目的とする。【解決手段】基礎上もしくは壁の間に互いに平行に掛け渡される梁部と、これら梁部のうち互いに隣接する梁部間に設けられて建物の床を構成する床板部とからなる建物の床構造において、梁部と床板部とは、あらかじめ工場等において、１本の梁部と１枚の床板部とをＬ字型に組み付けて構成し、かつ、梁部の上面に、梁部の上に接続すべき床板部の端部が設置される取付部を形成したことを特徴とする。【選択図】　図１
2004003145.tif 000002
【特許請求の範囲】
【請求項１】
基礎上もしくは壁の間に互いに平行に掛け渡される梁部と、これら梁部のうち互いに隣接する梁部間に設けられて建物の床を構成する床板部とからなる建物の床構造において、
梁部と床板部とは、あらかじめ工場等において、１本の梁部と１枚の床板部とをＬ字型に組み付けて構成されてなり、かつ、梁部の上面には、梁部の上に接続すべき床板部の端部が設置される取付部が形成されていることを特徴とする建物の床構造。
【請求項２】
請求項１記載の建物の床構造において、梁部上面の取付部は、梁部の幅の１／２の大きさであることを特徴とする建物の床構造。
【請求項３】
基礎もしくは壁の間に互いに平行に掛け渡される梁部と、これら梁部のうち互いに隣接する梁部間に設けられて建物の床を構成する床板部とからなる建物の床構造において、
梁部と床板部とは、あらかじめ工場等において、１本の梁部と１枚の床板部とをＬ字型に組み付けて構成されたＬ字型パネルにより構成されてなり、かつ、このＬ字型パネルは、当該パネルの床板部の端面を、隣接するＬ字型パネルの梁部上面に設置して取り付けられていることを特徴とする建物の床構造。
【請求項４】
建物の床を、１本の梁部と１枚の床板部とをＬ字型に組み付けて構成されたＬ字型パネルを接続しつつ構築される建物の床施工方法であって、
前記Ｌ字型パネルの梁部上面に、接続すべきＬ字型パネルの床板部の設置面を残しておき、Ｌ字型パネルを現場にて、梁部上面の設置面に床板部を載せながらＬ字型パネルを接続しつつ床部全体を構築することを特徴とする建物の床施工方法。
【請求項５】
請求項４記載の建物の床施工方法であって、２本の梁部と、この梁部間に設けられた床板部とからなるＵ字型パネルを工場等において仕上げた状態に構成しておき、当該Ｕ字型パネルを最初に設置し、このＵ字型パネルを基準にこのＵ字型パネルに最初のＬ字型パネルを接続し、順番にＬ字型パネルを接続していくことを特徴とする建物の床施工方法。
【請求項６】
請求項４記載の建物の床施工方法であって、Ｕ字型パネルの一つの梁部はほぼ壁の厚みに等しい厚さの土台部として構成されていることを特徴とする建物の床施工方法。
【発明の詳細な説明】
【０００１】
【発明の属する技術分野】
本発明は、例えば、プレハブ住宅等の床をパネル化して構築される建物の床構造およびその施工方法に係り、特に、１本の梁部と、この梁部に取り付けられた床板部とからなるＬ字型パネルによって構築される建物の床構造およびその施工方法に関するものである。
【０００２】
従来、プレハブ住宅等においては、床、壁、屋根等がそれぞれパネル化されて構築されるものがある。
本出願人が、先行技術として開示する特開平４−６８１３９号「建築物のパネル工法」は、屋根、壁、床等をそれぞれパネル化して、これらパネルを接続し構築される工法であって、パネル表面を、予め工場等において仕上げた状態とし、かつ当該パネルには、接続される一方側のパネル端面に連結用の雌部材を設け、他方側のパネル端面には、前記雌部材と緊結することによりパネル端面同士を互いに密着させる雄部材をそれぞれ設けておき、これらパネルを現場にて、その端面に接着剤を塗布した後に、前記雌部材に雄部材を連結しつつ構築していくものである。
【０００３】
このパネル工法によれば、雄雌の部材の緊結によって、パネルどうしを接合するため、現場における仕上げ作業や釘打ち作業等を省略させることができ、またパネル表面に仕上げがなされているパネル構造のものへの適用性を向上させることができる等の利点がある。
【０００４】
ところで、従来の建物は、前述したようなパネル工法によるもののほかに、いわゆる在来工法と呼ばれる柱と梁とを現場で職人が組み付けていく構成のものや、２×４工法とよばれる２インチ×４インチの材を用いて床、壁、屋根等を構築していく構成のものなど種々ある。
【０００５】
【発明が解決しようとする課題】
近年では、このようなパネル工法以外の工法の建物においても、職人不足や施工の簡略化等を求めて、床、壁等をパネル化することが行われるようになってきているが、床、壁等のパネル化は、４角形状のパネルを互いに接続する構成上、パネル間の接続部の材が二重になるため、パネル工法以外の工法にはその適用が進んでいないのが実情である。
【０００６】
また、パネル工法においても、コストダウンを推進していく過程で、接続部の材が二重にならないような工夫が求められている。
【０００７】
さらに、床、壁等を四角形状のパネル構成とすると、パネル運搬時パネルを積み重ねると、梁成分パネルが積まれる形態となるために、運搬容量が在来工法に比べて大きくなる等の課題もある。
【０００８】
本発明の目的は、１本の梁部と、この梁部に取り付けられた床板部とからなるＬ字型パネルによって床部をパネル化することにより、パネル間の接続部の材を二重にすることなく、パネル工法はもちろんパネル工法以外の工法への適用性を向上させることができ、また、コストを低減して輸送効率をも高めることのできる建物の床構造およびその施工方法を提供することにある。
【０００９】
【課題を解決するための手段】
本発明に係る床構造を、図面を参照して説明すると、基礎上もしくは壁１の間に互いに平行に掛け渡される梁部１０と、これら梁部１０のうち互いに隣接する梁部１０間に設けられて建物の床Ｆを構成する床板部１１とからなる建物の床構造において、梁部１０と床板部１１とを、あらかじめ工場等において、１本の梁部１０と１枚の床板部１１とをＬ字型に組み付けて構成し、かつ、梁部１０の上面に、梁部１０の上に接続すべき床板部１１の端部が設置される取付部１０Ａを形成した。
【００１０】
このような発明による床構造によれば、梁部１０と床板部１１とを、あらかじめ工場等において、１本の梁部１０と１枚の床板部１１とをＬ字型に組み付けて構成し、梁部１０の上面には、床板部１１の端部が設置される取付部１０Ａが形成されているので、床構造としては、梁部上面の取付部１０Ａの上に床板部１１を載せる構造となって、梁部１０自身が互いに重なることがない形態となり、梁部１０は常に重なることがない。
【００１１】
また、このような建物の床構造において、梁部１０上面の取付部１０Ａを、梁部１０の幅の約１／２の大きさとすれば、床板部１１同士の取り合いも常に同じ位置で取付可能となり、床板部１１の連結を精度良く行うことができるので、好ましい。
【００１２】
さらに、本発明の建物の床構造は、基礎上もしくは壁の間に互いに平行に掛け渡される梁部１０と、これら梁部１０のうち互いに隣接する梁部１０間に設けられて建物の床を構成する床板部１１とからなる建物の床構造において、梁部１０と床板部１１とを、あらかじめ工場等において、１本の梁部１０と１枚の床板部１１とをＬ字型に組み付けて構成したＬ字型パネルＰにより構成しておき、このＬ字型パネルＰを、当該パネルＰの床板部１１の端面を、隣接するＬ字型パネルＰの梁部１０上面に設置して取り付けるようにした。
【００１３】
このような発明による床構造によれば、梁部１０と床板部１１とを、あらかじめ工場等において、１本の梁部１０と１枚の床板部１１とをＬ字型に組み付けて構成したＬ字型パネルＰにより構成しているので、Ｌ字型パネルＰ間の接続部において、梁部１０が二重になることがなく、また、Ｌ字型パネルＰの裏面を重ね合わせるように重ねれば、１枚分のパネルの厚みで２枚のパネルを運搬することができ、その輸送効率を高めることができる（図３参照）。
【００１４】
また、本発明の建物の床施工方法は、建物の床を、１本の梁部１０と１枚の床板部１１とをＬ字型に組み付けて構成されたＬ字型パネルＰを接続しつつ構築される建物の床施工方法であって、前記Ｌ字型パネルＰの梁部１０上面に、接続すべきＬ字型パネＰルの床板部１１の設置面を残しておき、Ｌ字型パネルＰを現場にて、梁部上面の設置面に床板部１１を載せながらＬ字型パネルＰを接続しつつ床部全体を構築することを特徴とした。
【００１５】
このような建物の床施工方法によれば、Ｌ字型パネルＰの梁部上面に、隣接するＬ字型パネルＰの床板部１１を載せてパネルＰどうしを接続していく施工方法となっているため、１つの梁部１０に２枚の床板部１１が取り付けられる形態となって、パネル間の接続部を二重にすることがない。
【００１６】
また、上記床の施工方法において、２本の梁部１５、１６と、この梁部１５、１６間に設けられた床板部１１とからなるＵ字型パネルＰ１を工場等において仕上げた状態に構成しておき、当該Ｕ字型パネルＰ１を最初に設置し、このＵ字型パネルＰ１を基準にこのＵ字型パネルＰ１に、最初のＬ字型パネルＰを接続し、順番にＬ字型パネルＰを接続していく施工方法をとれば、Ｌ字型のパネルＰであっても、最初の設置がＵ字型パネルＰ１を基準に、このＵ字型パネルＰ１の上に第１のＬ字型パネルＰを載せる組み付け手順となるので、その組み付け作業も容易になるので好ましい。
【００１７】
さらに本発明の建物の床施工方法において、Ｕ字型パネルＰ１の一つの梁部１６を、ほぼ壁の厚みに等しい厚さの土台部として構成すれば、Ｕ字型パネルＰ１を基礎上もしくは壁１の上に載せてＬ字型パネルＰを組み付けていく構成とすることができ、土台の取り合い構造と単純化して、その施工をより簡略化することができるので、好ましい。
【００１８】
【発明の実施の形態】
以下、本発明の実施の形態を図面に基づいて説明する。ここで、各実施形態中、同一構成要素は同一符号を付して説明を省略もしくは簡略にする。
【００１９】
図１はＬ字型パネルＰを２階床に適用した例を示すもので、ここに示すＬ字型パネルＰは、壁の間に掛け渡される１本の梁部１０と、この梁部１０に一端が取り付けられて建物の床を構成する１枚の床板部１１とからなる構成となっている。
【００２０】
前記梁部１０は床を支持する形態で所定の強度を備えた梁成を持ち、この梁部上面には、梁部１０の幅のほぼ１／２の長さの取付部１０Ａを残して、隣接するＬ字型パネルＰの梁部１０に一端が固定される床板部１１が固定され、これら梁部１０と床板部１１とは、あらかじめ工場等において、１本の梁部１０と１枚の床板部１１とをＬ字型に組み付けて構成されている。
【００２１】
また、図１に示すように、壁１との取付部には、壁厚とほぼ同じ大きさの幅を備えた土台部１６と、梁部１５と、この土台部１６と梁部１５間に掛け渡された床板部１１とからなるＵ字型パネルＰ１が設けられている。
【００２２】
このＵ字型パネルＰ１は、床構造を構築する際の最初に壁１上に取り付けられるもので、梁部１５上にはＬ字型パネルＰの床板部１１の一端が固定される取付部１５Ａが形成されている。
【００２３】
なお、図３は、このような構成のＬ字型パネルＰを運搬する場合の一例を示すもので、Ｌ字型パネルＰの裏面を重ね合わせるように重ねることにより、１枚分のパネルＰの厚みで２枚のパネルＰを運搬するようにしたものである。しかして、このような積み込み形態とすれば、１枚の高さ分の中に２枚分のパネルＰを運ぶことができるので、その輸送効率を高めることができる。
【００２４】
次に、上記のように構成されたＬ字型パネルＰとＵ字型パネルＰ１とを用いて、第１図に示すような本実施例の床構造を構築するには、まず、１階壁１の上にＵ字型パネルＰ１を載せ、このＵ字型パネルＰ１の取付部１５ＡにＬ字型パネルＰの床板部１１の端部を載せつつ、同じ大きさで同じ構成のＬ字型パネルＰを敷きこんでいく。
なお、床板部１１の端部と梁部１０、１５とは接着剤等によって接着しても良いし、釘等で連結しても良い。
Ｌ字型パネルＰの据え付け固定は、Ｌ字型パネルＰの床板部１１を取付部１０Ａに合わせて敷きこむ単純作業であり、取付部１０Ａは梁部の厚みの１／２の大きさで形成されているため、精度良く、梁部を設置しつつ床板部を固定することができるので、その作業性も向上できる。
【００２５】
なお、これらＵ字型パネルＰ１とＬ字型パネルＰの長手方向における端部の取り合いは、図面には表していないが、壁１に対して、パネルが固定できる周知の技術が適用されている。
【００２６】
Ｕ字型パネルＰ１とＬ字型パネルＰは、それぞれ、予め工場等において仕上げられていて、工場から現場には、第３図に示すような形態で、Ｌ字型パネルＰが運搬される。
【００２７】
しかして、上記のような床構造によれば、梁部１０と床板部１１とを、あらかじめ工場等において、１本の梁部１０と１枚の床板部１１とをＬ字型に組み付けて構成し、梁部１０の上面には、床板部１１の端部が設置される取付部１０Ａが形成されているので、床構造としては、梁部１０上面の取付部１０Ａの上に床板部１１を載せる構造となって、梁部１０自身が互いに重なることがない形態となり、梁部１０は常に重なることがない。
【００２８】
また、このような建物の床構造においては、梁部１０上面の取付部１０Ａを、梁部１０の幅の約１／２の大きさと構成されているので、床板部１１同士の取り合いも常に同じ位置で取付可能となり、床板部１１の連結を精度良く行うことができる。
【００２９】
また実施例による建物の床施工方法によれば、Ｌ字型パネルＰの梁部上面に、隣接するＬ字型パネルＰの床板部を載せてパネルどうしを接続していく施工方法となっているため、１つの梁部に２枚の床板部が取り付けられる形態となって、パネル間の接続部を二重にすることがない。
【００３０】
また、上記床の施工方法において、２本の梁部１０と、この梁部１０間に設けられた床板部１１とからなるＵ字型パネルＰ１を工場等において仕上げた状態に構成しておき、当該Ｕ字型パネルＰ１を最初に設置し、このＵ字型パネルＰ１を基準にこのＵ字型パネルＰ１に最初のＬ字型パネルＰを接続し、順番にＬ字型パネルＰを接続していく施工方法をとることにより、Ｌ字型のパネルＰであっても、最初の設置がＵ字型パネルＰ１を基準に、このＵ字型パネルＰ１の上に第１のＬ字型パネルＰを載せる組み付け手順となるので、その組み付け作業も容易になるなどの利点がある。
【００３１】
さらに本発明の建物の床施工方法において、Ｕ字型パネルＰ１の一つの梁部１６を、ほぼ壁の厚みに等しい厚さの土台部として構成すれば、Ｕ字型パネルＰ１を壁１の上に載せてＬ字型パネルＰを組み付けていく構成とすることができ、土台の取り合い構造と単純化して、その施工をより簡略化することができる。
【００３２】
なお、本発明は前述の実施の形態に限定されるものではなく、本発明の目的を達成できる範囲ではの変形、改良等は本発明に含まれるものである。
【００３３】
【発明の効果】
以上のように、本発明によれば、１本の梁部と、この梁部に取り付けられた床板部とからなるＬ字型パネルによって床部をパネル化することにより、パネル間の接続部の材を二重にすることなく、パネル工法はもちろんパネル工法以外の工法への適用性を向上させることができ、また、コストを低減して輸送効率をも高めることのできる建物の床構造およびその施工方法を提供することにある。
【図面の簡単な説明】
【図１】本発明の実施の形態に係る床構造の側面図である。
【図２】本発明の実施の形態に係るＬ型パネルとＵ型パネルの取り合いを示す床構造の側面図である。
【図３】本発明の実施の形態に係るＬ字型パネルの積み重ね状態を示す側面図である。
【符号の説明】
１　　　壁
Ｐ　　　Ｌ型パネル
Ｐ１　　Ｕ型パネル
１０　　梁部
１１　　床板部
１５　　梁部
１６　　梁部
１０Ａ　取付部
１５Ａ　取付部
【図１】
2004003145.tif 000003
【図２】
2004003145.tif 000004
【図３】
2004003145.tif 000005